(57)【要約】      （修正有）【課題】  体形の異なる着用者が着用した場合でも着用者の身体に良好にフィットさせることができ、特に脚周り開口部からの漏れ防止効果を改善したパンツ型使い捨ておむつを提供する。【解決手段】  前身頃、後身頃、股下部とを有するパンツ型使い捨ておむつにおいて、前身頃と後身頃のいずれか一方の身頃の脚周り開口部側の側縁部の長さが、他方の身頃の脚周り開口部側の側縁部の長さよりも長く形成されており、前記長く形成された側縁部領域には、脚周り伸縮弾性部材が配置されると共に、脚周り伸縮弾性部材が配置された近傍には相対する身頃の側縁部と着脱可能な止着手段が、脚周り伸縮弾性部材に沿って側縁から股下部に向かって分割可能部に形成されており、おむつ着用時には、前記分割可能部で分割することにより、伸縮弾性を有する止着テープ部分として使用できる。【選択図】  図１
2005296211.tif 000002
【特許請求の範囲】
【請求項１】
前身頃と、後身頃と、これら両身頃の間に位置する股下部とを有してなり、前記前身頃と後身頃の相対する両側縁部を接合してウエスト周り開口部と一対の脚周り開口部が形成され、前記各開口部に沿ってウエスト周り伸縮弾性部材と脚周り伸縮弾性部材が配置されたパンツ型使い捨ておむつにおいて、
前記前身頃と後身頃のいずれか一方の身頃の前記脚周り開口部側の側縁部の長さが、他方の身頃の脚周り開口部側の側縁部の長さよりも長く形成されており、
前記長く形成された側縁部領域には、前記脚周り伸縮弾性部材が配置されると共に、前記脚周り伸縮弾性部材が配置された近傍には相対する身頃の側縁部と着脱可能な止着手段が設けられており、さらに、前記長く形成された側縁部領域の前記脚周り伸縮弾性部材よりおむつの内側には、前記脚周り伸縮弾性部材に沿って、側縁から股下部に向かって分割可能部が形成されており、
おむつ着用時には、前記長く形成された側縁部領域を前記分割可能部で分割することにより、伸縮弾性を有する止着テープ部分として使用できることを特徴とするパンツ型使い捨ておむつ。
【請求項２】
前記一方の身頃の長く形成された側縁部領域には、前記分割可能部よりおむつの内側領域に、さらに脚周り伸縮弾性部材が配置されていることを特徴とする請求項１記載のパンツ型使い捨ておむつ。
【請求項３】
前身頃と、後身頃と、これら両身頃の間に位置する股下部とを有してなり、前記前身頃と後身頃の相対する両側縁部を接合してウエスト周り開口部と一対の脚周り開口部が形成され、前記各開口部に沿ってウエスト周り伸縮弾性部材と脚周り伸縮弾性部材が配置されたパンツ型使い捨ておむつにおいて、
前記前身頃と後身頃の両側縁部は、前記脚周り伸縮弾性部材の配置位置から脚周り開口部方向に延在していて且つ両側縁同士が接合されていない非接合領域を有しており、
前記両側縁部の少なくとも一方の非接合領域には、脚周り開口部に沿って第２の脚周り伸縮弾性部材が配置されると共に、第２の脚周り伸縮弾性部材が配置された近傍には相対する身頃の側縁部に着脱可能な止着手段が設けられ、さらに、第２の脚周り伸縮弾性部材よりおむつの内側の領域には、第２の脚周り伸縮弾性部材に沿って非接合領域の側縁部から股下部に向かって分割可能部が形成されており、
おむつ着用時には、前記非接合領域を分割可能部で分割することにより、伸縮弾性を有する止着テープとして使用できることを特徴とするパンツ型使い捨ておむつ。
【請求項４】
前記止着手段が、粘着剤、面ファスナー、又はこれらの組合せにより形成されていることを特徴とする請求項１〜請求項３のいずれか１項に記載のパンツ型使い捨ておむつ。
【請求項５】
前記止着手段が設けられる側の身頃の前記止着手段を設けられる面とは反対側の面に、前記止着手段の位置を示す表示部が設けられていることを特徴とする請求項１〜請求項４のいずれかに記載のパンツ型使い捨ておむつ。
【請求項６】
前記分割可能部が破線状であることを特徴とする請求項１〜請求項５のいずれか１項に記載のパンツ型使い捨ておむつ。
【発明の詳細な説明】
【技術分野】
【０００１】
本発明は、赤ちゃん向けや、大人向けの尿や便を吸収保持するパンツ型使い捨ておむつに関するものである。
【背景技術】
【０００２】
使い捨ておむつを着用するタイプによって大きく分けると、テープ型とパンツ型に分けることができる。テープ型使い捨ておむつの一般的な形状は、身体の下腹部から股下、臀部にかけて覆うように縦長の吸収体を当接させて吸収体を着用者の体に固定するために、吸収体の前身頃と後身頃に相当する部分の両側に側縁部を形成し、後身頃の両側縁部の先端に１組の止着テープを取り付け、一方、前身頃の吸収体の外側には前記止着テープが係合できるように止着ゾーンを設けた形状である。また、脚周りに隙間を作らないために、吸収体の両側縁部の外側に吸収体に沿って糸ゴム、平ゴムなどの伸縮弾性体を配置したり、腹回りに隙間をつくらないように、吸収体の前身頃側の端縁に沿ってウレタンフォームやウレタンフィルム、糸ゴムなどの伸縮弾性体を配置する場合もある。
【０００３】
テープ型使い捨ておむつの特徴としては、着用者の脚周りに隙間を作らないようにするために、おむつの股上を調整し、ウエスト周りに隙間を作らないようにするために、前記止着テープの係合位置を身体の中心側に向けて締めて止着することが自由にできる点にある。このような止着テープは股上の固定、すなわち脚周りの調整を可能とするので、テープ型おむつは、着用者の脚周りと腹回りの大きさに合わせて調整することができる利点がある。
【０００４】
一方、パンツ型使い捨ておむつの一般的な形状は、前身頃と、後身頃と、これら両身頃の間に位置する股下部とを有し、前記前身頃と後身頃の相対する両側縁部を接合してウエスト周り開口部と一対の脚周り開口部を形成し、前記各開口部に沿って伸縮弾性体が配置されている形状である。
【０００５】
パンツ型使い捨ておむつの特徴としては、いわゆる布製のパンツと同じようにはかせることができ、はかせるだけで腹周りと脚周りが締まるため調節する必要がない。したがって、短い時間でおむつ換えをすることができることと、立ったままで交換ができる利点がある。
【０００６】
テープ型とパンツ型は、一般には使い分けされており、子供用おむつであれば、乳児のころは寝ていることが多いのでテープ型が使われることが多く、ハイハイ又はつかまり立ちのころには、子供が寝転がることを嫌うのでパンツ型が好まれる。大人用おむつの場合、交換時に立ち姿勢が取れる場合はパンツ型使い捨ておむつが好んで使われる。また、日常生活に関わる身体能力にはさまざまなレベルがあり、例えば、健常者と変わらない生活ができるが失禁に悩む人や、介護が必要で補助器具を使いながら歩行する人までパンツ型使い捨ておむつは巾広い使われ方をする。
【０００７】
パンツ型使い捨ておむつの欠点としては、脚周りと腹周りの寸法に許容範囲があるため、着用者の体形がその寸法から外れる場合には、おむつと着用者の身体の間に隙間が生じたり、あるいは、締め付けが緩くなり、その部分から漏れが生じる場合があることが挙げられる。このような漏れ問題は、特に脚周りにおいて影響が大きく、着用者の脚周りの寸法がおむつの許容範囲より小さい場合には漏れを生じ易くなる。たとえば、着用者によっては、腰周りの寸法は適正な範囲にあっても、脚周りの寸法が許容範囲より小さい場合があるが、従来のパンツ型使い捨ておむつでは脚周りを調整して着用するということはできなかった。
【０００８】
上記の問題点を解決する方法として、パンツ型使い捨ておむつに止着テープを取付け、着用感の緩い部位の締りを調整する方法が提案されており、例えば、前身頃と後身頃のいずれか一方の外面の胴周り開口部近傍と脚周り開口部近傍において、各開口部に並行に止着テープを取付けたパンツ型使い捨ておむつ（特許文献１）、あるいは、ウエスト開口部とレッグ開口部との中間領域におけるおむつの胴周り領域に、おむつの幅方向に止着テープを取付けたパンツ型使い捨ておむつ（特許文献２）、さらに、レッグ開口部側からウエスト部近傍にかけてスリットが形成され、スリットにより分割された部分が連結部材（止着テープ）により着脱可能に連結されたパンツ型使い捨ておむつ（特許文献３）等が提案されている。
【特許文献１】実開平５−３９５３１号公報
【特許文献２】実開平６−７７７１９号公報
【特許文献３】実開平６−６５４０９号公報
【発明の開示】
【発明が解決しようとする課題】
【０００９】
しかしながら、上記の胴周り開口部や脚周り開口部に沿って止着テープを取付けたおむつや、胴周り領域に止着テープを取付けたおむつの場合、前身頃と後身頃の接合部を折り曲げて、その上から止着テープで締め付けるため、接合部の折り曲げられた部分が着用者の肌を圧迫し、着用感が悪くなるという問題点を有している。また、レッグ開口部にスリットを形成したおむつでは、着用感は優れているが、止着テープが衣類等と擦れて外れた場合には、スリットが開放された状態になるため、パンツ型使い捨ておむつとして機能しなくなるという問題点を有している。
【００１０】
本発明は、上記従来のパンツ型使い捨ておむつの有する問題点を克服し、体形の異なる着用者が着用した場合でも着用者の身体に良好にフィットさせることができ、着用感に優れ、特に脚周り開口部からの漏れ防止効果を改善したパンツ型使い捨ておむつを提供することを目的とするものである。
【課題を解決するための手段】
【００１１】
上記従来のパンツ型使い捨ておむつの有する問題点を解決するための本発明は、以下の各発明を包含する。
【００１２】
（１）前身頃と、後身頃と、これら両身頃の間に位置する股下部とを有してなり、前記前身頃と後身頃の相対する両側縁部を接合してウエスト周り開口部と一対の脚周り開口部が形成され、前記各開口部に沿ってウエスト周り伸縮弾性部材と脚周り伸縮弾性部材が配置されたパンツ型使い捨ておむつにおいて、
前記前身頃と後身頃のいずれか一方の身頃の前記脚周り開口部側の側縁部の長さが、他方の身頃の脚周り開口部側の側縁部の長さよりも長く形成されており、
前記長く形成された側縁部領域には、前記脚周り伸縮弾性部材が配置されると共に、前記脚周り伸縮弾性部材が配置された近傍には相対する身頃の側縁部と着脱可能な止着手段が設けられており、さらに、前記長く形成された側縁部領域の前記脚周り伸縮弾性部材よりおむつの内側には、前記脚周り伸縮弾性部材に沿って、側縁から股下部に向かって分割可能部が形成されており、
おむつ着用時には、前記長く形成された側縁部領域を前記分割可能部で分割することにより、伸縮弾性を有する止着テープ部分として使用できることを特徴とするパンツ型使い捨ておむつ。
【００１３】
（２）前記一方の身頃の長く形成された側縁部領域には、前記分割可能部よりおむつの内側領域に、さらに脚周り伸縮弾性部材が配置されていることを特徴とする（１）項記載のパンツ型使い捨ておむつ。
【００１４】
（３）前身頃と、後身頃と、これら両身頃の間に位置する股下部とを有してなり、前記前身頃と後身頃の相対する両側縁部を接合してウエスト周り開口部と一対の脚周り開口部が形成され、前記各開口部に沿ってウエスト周り伸縮弾性部材と一対の脚周り伸縮弾性部材が配置されたパンツ型使い捨ておむつにおいて、
前記前身頃と後身頃のいずれか一方の身頃の側縁部が、前記一対の脚周り伸縮弾性部材が配置された位置より脚周り開口部方向に延出して、他方の身頃の側縁部の長さよりも長く形成されており、
前記一方の身頃の長く形成されている側縁部領域には、脚周り開口端部に沿って第２の脚周り伸縮弾性部材が配置されると共に、該第２の脚周り伸縮弾性部材の近傍に他方の身頃の側縁部に着脱可能な止着手段が設けられ、
さらに、第２の脚周り伸縮弾性部材及び前記止着手段が配置された位置よりおむつ内側領域には、第２の脚周り伸縮弾性部材に沿って、前記長く形成された側縁部領域を側縁部から股下部に向かって部分分割することができる分割可能部が形成されており、
おむつ着用時には、前記長く形成された側縁部領域を前記分割可能部で分割することにより、伸縮弾性を有する止着テープ部分として使用できることを特徴とするパンツ型使い捨ておむつ。
【００１５】
（４）前身頃と、後身頃と、これら両身頃の間に位置する股下部とを有してなり、前記前身頃と後身頃の相対する両側縁部を接合してウエスト周り開口部と一対の脚周り開口部が形成され、前記各開口部に沿ってウエスト周り伸縮弾性部材と脚周り伸縮弾性部材が配置されたパンツ型使い捨ておむつにおいて、
前記前身頃と後身頃の両側縁部は、前記脚周り伸縮弾性部材の配置位置から脚周り開口部方向に延在していて且つ両側縁同士が接合されていない非接合領域を有しており、
前記両側縁部の少なくとも一方の非接合領域には、脚周り開口部に沿って第２の脚周り伸縮弾性部材が配置されると共に、第２の脚周り伸縮弾性部材が配置された近傍には相対する身頃の側縁部に着脱可能な止着手段が設けられ、さらに、第２の脚周り伸縮弾性部材よりおむつの内側の領域には、第２の脚周り伸縮弾性部材に沿って非接合領域の側縁部から股下部に向かって分割可能部が形成されており、
おむつ着用時には、前記非接合領域を分割可能部で分割することにより、伸縮弾性を有する止着テープとして使用できることを特徴とするパンツ型使い捨ておむつ。
【００１６】
（５）前記止着手段が、粘着剤、面ファスナー、又はこれらの組合せにより形成されていることを特徴とする（１）項〜（４）項のいずれか１項に記載のパンツ型使い捨ておむつ。
【００１７】
（６）前記止着手段が設けられる側の身頃の前記止着手段を設けられる面とは反対側の面に、前記止着手段の位置を示す表示部が設けられていることを特徴とする（１）項〜（５）項のいずれかに記載のパンツ型使い捨ておむつ。
【００１８】
（７）前記分割可能部が破線状であることを特徴とする（１）項〜（６）項のいずれか１項に記載のパンツ型使い捨ておむつ。
【発明の効果】
【００１９】
前記（１）項に記載された構成を有する本発明の第１の形態のパンツ型使い捨ておむつは、おむつ着用時に、一方の身頃に長く形成された側縁部を側縁から股下方向に部分的に切り離して分割することにより、伸縮弾性を有する止着テープとして使用できる部分を形成することができ、この止着テープ部分によりおむつの脚周り開口部を着用者の脚周りに隙間が生じないように押圧してフィットさせることができる。また、脚周り伸縮弾性部材の作用により臀部を包むようにおむつを着用者に装着することができるし、さらに、前身頃と後身頃の接合部が着用者の肌を極度に圧迫することがないように調整できるため、優れた着用感が得られる。
【００２０】
前記（２）項又は（３）項に記載されている構造を有する本発明の第２の形態のパンツ型使い捨ておむつは、上記第１の形態のパンツ型使い捨ておむつと同様におむつを着用者の脚周りに良好にフィットさせることが可能であり、さらに、着用中に止着テープが外れることがあっても、止着テープ部分以外のおむつ内側の脚周りにも伸縮弾性部材が配置されているために、パンツの漏れ防止機能を維持することができる。
【００２１】
前記（４）項に記載されている構造を有する本発明の第３の形態のパンツ型使い捨ておむつは、おむつ着用時に、非接合側縁部を分割可能部で切り離して伸縮弾性を有する止着テープ部分として使用できる部分を形成することができるため、体形の異なる着用者であっても、脚周りに隙間が生じないようにおむつを装着させることが可能であるし、第２の脚周り伸縮弾性部材の作用により、臀部を包むようにおむつを着用者に良好にフィットさせることができる。また、前身頃と後身頃の接合部が着用者の肌を極度に圧迫することもないため、優れた着用感が得られる。さらに、着用中に止着テープが外れて止着テープ部分に存在する第２の伸縮弾性部材による脚周りの漏れ防止効果が期待できなくなっても、その内側には通常の脚周り伸縮弾性部材が配置されているので、パンツの防漏機能は良好に維持されるものである。
【００２２】
本発明のパンツ型使い捨ておむつには、脚周り開口部近傍に、前記止着テープ部分とは別体である、少なくとも１個の止着テープをさらに追加して取付けることができる。このように、複数個の止着テープを取付けることにより、止着テープが１個の場合よりも、脚周りの調整をより精密に行なうことができる。
【発明を実施するための最良の形態】
【００２３】
本発明のパンツ型使い捨ておむつは、パンツを形成する部材をその股下部を介して二つに折り畳み、前身頃と後身頃の相対する両側縁部を接合してウエスト周り開口部と一対の脚周り開口部を形成し、各開口部に沿ってウエスト周り伸縮弾性体と脚周り伸縮弾性体を配置して形成される。
【００２４】
具体的には、液透過性の表面シートと、液不透過性の裏面シートと、これら両シートの間に配置された吸収体とからなるいわゆる一体型のおむつを用い、これを表面シートを内側にして折り畳み、前後身頃のサイドフラップの両側縁部を接合してパンツ型使い捨ておむつを形成することができる。
【００２５】
あるいは、液透過性の表面シートと、液不透過性の裏面シートと、これら両シートの間に配置された吸収体とからなる吸収性本体と、吸収性本体が接合され、これを着用者に当てて保持する外装シートとからなるいわゆるツーピース型のおむつを用い、これを吸収性本体を内側にして折り畳み、外装シートの前後身頃のサイドフラップの両側縁部を接合してパンツ型使い捨ておむつを形成することもできる。
【実施例】
【００２６】
以下、実施例を示す図面を参照して、本発明のパンツ型使い捨ておむつをさらに詳細に説明するが、本発明は、これらの実施例により何等制限されるものではない。
【００２７】
図１及び図２は、本発明のパンツ型使い捨ておむつを示す第１の実施例であり、図１は、おむつを腹側から見た斜視図であり、図２は、おむつを背側から見た斜視図である。
図１及び図２において、パンツ型使い捨ておむつ１は、前身頃２と、後身頃３と、これら両身頃の間に位置する股下部４とを有しており、前身頃２と後身頃３の相対する両側縁部５、６を接合部７において接合してウエスト周り開口部８と一対の脚周り開口部９を形成し、ウエスト周り開口部８に沿ってウエスト周り伸縮弾性部材１０が配置され、脚周り開口部９に沿って脚周り伸縮弾性部材１１が配置されている。なお、脚周り伸縮弾性部材としては、必ずしも開口部を形成するシートに配置されたものだけではなく、立体ギャザーのように脚周りに密着して漏れを防止するものであっても良く、また、その両方であっても良い。また、本発明の好ましい例として、さらに胴周りに複数本の伸縮弾性部材１２が配置されている。
【００２８】
また、図１に示すように、おむつ１は、脚周り開口部９側において、後身頃３側の側縁部６の長さが前身頃２側の側縁部５の長さよりも長く形成されており、長く形成された後身頃３側の側縁部６の部分には脚周り伸縮弾性部材１１が配置されると共に、側縁部６の脚周り伸縮弾性部材１１上には前身頃２の脚周り領域に着脱可能に止着することができる面ファスナーのフック材からなる止着手段１３が設けられており、さらに、側縁部６の脚周り伸縮弾性部材１１よりおむつ内側の部分には、側縁部から股下部に向かって破線状のスリットからなる分割可能部１４が形成されている。
【００２９】
このような構成を有する本発明のパンツ型使い捨ておむつは、おむつ着用時に、長く形成された後身頃３の側縁部６を分割可能部１４により部分的に切り離すと伸縮弾性を有する止着テープとして作用する部分が形成されるので、体形の異なる着用者であってもこの止着テープ部分を引張り、それによって脚周り開口部を着用者の肌に適度の強さで押圧密着させることができ、その状態で止着部面を前身頃２の外面に止着することによっておむつの脚周り開口部を着用者の肌に良好にフィットさせることができる。
【００３０】
図３及び図４は、本発明のパンツ型使い捨ておむつの第２の実施例を示しており、図３は、おむつを腹側から見た斜視図であり、図４は、おむつを背側から見た斜視図である。
図３及び図４において、パンツ型使い捨ておむつ１は、前身頃２と、後身頃３と、これら両身頃の間に位置する股下部４とを有しており、前身頃２と後身頃３の相対する両側縁部５、６を接合部７において接合してウエスト周り開口部８と一対の脚周り開口部９を形成し、ウエスト周り開口部８に沿ってウエスト周り伸縮弾性部材１０が配置され、脚周り開口部９に沿って脚周り伸縮弾性部材１１が配置されている。
【００３１】
また、図３に示すように、おむつ１は、脚周り伸縮弾性部材１１が配置された脚周り開口部９側の領域において、後身頃３側の側縁部６の長さが前身頃２側の側縁部５の長さよりも長く形成されており、長く形成された側縁部６には、脚周り開口部に沿って第２の脚周り伸縮弾性部材１１’が配置されると共に、側縁部６の第２の脚周り伸縮弾性部材１１’上には前身頃２の脚周り領域の面に着脱可能に止着することができる面ファスナーのフック材からなる止着手段１３設けられており、さらに、側縁部６の第２の脚周り伸縮弾性部材１１’よりおむつの内側の部分には、側縁部から股下部に向かって破線状のスリットからなる分割可能部１４が形成されている。
【００３２】
このような構成を有する本発明のパンツ型使い捨ておむつは、おむつ着用時に、長く形成された側縁部６を分割可能部１４により部分的に切り離すことにより、伸縮弾性を有する止着テープとして作用する部分を形成することができる。この止着テープとなる部分を引っ張って伸縮弾性部材１１’を有する開口側縁部を着用者の脚周りに適度な押圧力で密着させることにより、体形の異なる着用者の全てに対して、おむつの脚周りをより良好にフィットさせることができる。また、着用中に止着テープ部分が外れることがあっても、脚周り伸縮弾性部材１１が脚開口部全体に設けられているので、パンツの防漏機能を良好に維持することができる。
【００３３】
図５は、図３に示す本発明のパンツ型使い捨ておむつを着用した状態を側面から見た場合の外観図である。
図５において、おむつ１は、長く形成された後身頃３側の側縁部６の第２の脚周り伸縮弾性部材１１’と止着手段１３とを含む領域が、分割可能部１４で分割されて、伸縮弾性を有する止着テープとして作用し、引き伸ばされて、止着手段１３により前身頃２側の脚周り開口部近傍に止着されている。この場合、側縁部６の止着手段１３が設けられている面とは反対側の面に、止着手段１３の位置を示す表示を設けても良く、そのような表示を設けることにより、止着テープとしての側縁部６の着脱が容易になるため好ましい。
【００３４】
図６は、本発明のパンツ型使い捨ておむつの第３の実施例を示しており、おむつの脚周り開口部の部分を示す拡大図である。
図６において、使い捨ておむつは、前身頃２と後身頃３の相対する側縁部５、６が接合部７で接合され、脚周り開口部９の近傍において脚周り伸縮弾性部材１１が配置されている。また、脚周り伸縮弾性部材１１が配置された位置よりも脚周り開口部９側の領域が、前身頃２側の側縁部５と後身頃３側の側縁部６が接合されていない非接合領域１５となっており、非接合領域１５において、側縁部５及び６には脚周り開口部９に沿って第２の脚周り伸縮弾性部材１１’が配置されると共に、後身頃側の側縁部６の第２の脚周り伸縮弾性部材１１’上には前身頃２の脚周り領域に着脱可能に止着することができる面ファスナーのフック材からなる止着手段１３が設けられており、さらに、側縁部６の第２の脚周り伸縮弾性部材１１’のおむつ内側部分には、側縁部から股下部に向かって破線状のスリットからなる分割可能部１４が形成されている。
【００３５】
このような構成を有する本発明のパンツ型使い捨ておむつは、おむつ着用時に、非接合領域の側縁部６が、分割可能部１４を切断することにより、伸縮弾性を有する止着テープとして作用する部分を形成し、この止着テープ部分を前身頃２側の側縁部５の第２の伸縮弾性部材１１’上に止着することにより、前後身頃の第２の脚周り伸縮弾性部材１１’、１１’が連動して着用者の脚周りを締め付けている状態とすることができるため、体形の異なる着用者であっても脚周りをより良好にフィットさせることができる。さらに、着用中に止着テープ部分が外れることがあっても、脚周り開口部に設けられている伸縮弾性部材１１，１１によってパンツの防漏機能は維持することができる。また、脚周り伸縮弾性部材１１を配置した部分が着用者の脚周り寸法と適正である場合には、分割可能部１４を切断せずにそのまま着用することが可能である。
なお、図６では、第２の脚周り伸縮弾性部材１１’を前身頃２と後身頃３の両方に配置した場合を示したが、前身頃２側の第２の脚周り伸縮弾性部材１１’は必ずしも配置する必要はなく、いずれか一方のみでもよい。
【００３６】
図７は、本発明のパンツ型使い捨ておむつの一例であり、おむつを縦方向中央部で切断した状態を示す縦断面図である。
図７において、パンツ型使い捨ておむつ１は、排泄物を吸収・保持する吸収性本体２０と、パンツを形成する外装シート２１から形成されており、吸収性本体２０は、液透過性のトップシート２２と、液不透過性のバックシート２３と、これら両シートの間に配置され、ティッシュ２４で包まれた吸収体２５とで形成され、また、外装シート２１は２枚の不織布２６、２７で形成されており、吸収性本体２０と外装シート２１は固定用シート２８により接合されている。
また、おむつ１は、パンツを形成する外装シート２１をその股下部４を介して二つに折り畳み、前身頃２と後身頃３の相対する両側縁部を接合してウエスト周り開口部８と一対の脚周り開口部（図示せず）を形成し、ウエスト周り開口部８にウエスト周り伸縮弾性部材１０を配置し、脚周り開口部には脚周り伸縮弾性部材（図示せず）を配置してパンツ型に形成されている。さらに、前身頃２と後身頃３の胴周りの位置には、胴周り伸縮弾性部材１２が配置されている。
【００３７】
以下に、本発明において使用される材料についてさらに詳細に説明するが、本発明はこれらの材料に限定されるものではない。
【００３８】
本発明において、止着手段は、粘着剤、面ファスナーのフック材、またはこれらの組合せにより形成することが可能であり、おむつの脚周り開口部領域の最外層面がフィルムで形成されている場合には粘着剤で形成され、最外層面が不織布で形成されている場合にはフック材で形成されるが、止着手段を粘着剤とフック材の組合せにより形成することにより、最外層面が如何なる素材で形成されていても対応することができる。これらの止着手段は、フィルムや不織布からなる素材シートを介して、接着剤あるいは熱溶融処理によりおむつの側縁部に設けることができる。
【００３９】
本発明において、液透過性のトップシートとしては、ポリエチレン、ポリプロピレン、ポリエステル、その他の熱可塑性樹脂を原料とした合成繊維を主成分とした不織布を用いることができる。
【００４０】
液不透過性のバックシートとしては、透湿性でありながら液体不透過性であることが好ましく、例えばポリエチレン樹脂にフィラーを加えて延伸したポリエチレンの微多孔シートのようなものが用いられる。
【００４１】
本発明において、吸収体は、フラッフパルプを主材としたものに高吸水性ポリマーを併用したものが好ましく、その他に吸収紙単独、又は熱融着繊維等の混合物や積層物、高吸水性ポリマーを固定したポリマーシートが用いられる。また、高分子吸収体の漏れ出し防止、吸収体の形状安定性付与のために、親水性のシートで包むのが好ましい。親水性のシートの例としては、親水化処理した不織布、ティシュなどが上げられる。親水性シートは目付けが１５ｇ／ｍ2 〜４０ｇ／ｍ2 のものが好適に用いられる。また、吸収体の形状は砂時計型、矩型、その他任意の形状にすることができる。
【００４２】
本発明において、外装シートは、主に不織布が使用され、ポリエチレン、ポリプロピレン、ポリエステルなどの熱可塑性樹脂を原料とした乾式不織布、湿式不織布を用いることができる。
【００４３】
本発明において、ウエスト周り開口部、脚周り開口部、胴回りに配置される伸縮弾性部材は、天然ゴム製平ゴム（リボン状）、ウレタンゴム糸等の通常使いすておむつに使用される伸縮弾性部材を使用することができる。
【産業上の利用可能性】
【００４４】
本発明のパンツ型使い捨ておむつは、前身頃と後身頃のうちの少なくとも一方の身頃の脚周り開口部の側縁部が、おむつ着用時に、伸縮弾性を有する止着テープとして使用することができる構造であるため、体形の異なる着用者が着用した場合でも、着用者の脚周りに隙間が生じないようにおむつを調整することが可能であり、また、おむつを着用者の脚周りに良好にフィットさせることが可能であるため、着用感に優れ、特に脚周り開口部からの漏れ防止効果に優れたものであり、乳幼児を始めとして成人失禁者用のパンツ型使い捨ておむつとして有用である。
【図面の簡単な説明】
【００４５】
【図１】本発明の第１の実施例のパンツ型使い捨ておむつを腹側から見た斜視図である。
【図２】本発明の第１の実施例のパンツ型使い捨ておむつを背側から見た斜視図である。
【図３】本発明の第２の実施例のパンツ型使い捨ておむつを腹側から見た斜視図である。
【図４】本発明の第２の実施例のパンツ型使い捨ておむつを背側から見た斜視図である。
【図５】本発明の第２の実施例のパンツ型使い捨ておむつを着用した状態を側面から見た場合の外観図である。
【図６】本発明の第３の実施例のパンツ型使い捨ておむつの脚周り開口部の部分を示す拡大図である。
【図７】本発明のパンツ型使い捨ておむつの一例であり、おむつを縦方向中央部で切断した状態を示す縦断面図である。
【符号の説明】
【００４６】
１：パンツ型使い捨ておむつ
２：前身頃
３：後身頃
４：股下部
５：前身頃側の側縁部
６：後身頃側の側縁部
７：接合部
８：ウエスト周り開口部
９：脚周り開口部
１０：ウエスト周り伸縮弾性部材
１１：脚周り伸縮弾性部材
１１’：第２の脚周り伸縮弾性部材
１２：胴回り伸縮弾性部材
１３：止着手段
１４：分割可能部
１５：非接合領域
２０：吸収性本体
２１：外装シート
２２：トップシート
２３：バックシート
２４：ティッシュ
２５：吸収体
２６：不織布
２７：不織布
２８：固定用シート
【図１】
2005296211.tif 000003
【図２】
2005296211.tif 000004
【図３】
2005296211.tif 000005
【図４】
2005296211.tif 000006
【図５】
2005296211.tif 000007
【図６】
2005296211.tif 000008
【図７】
2005296211.tif 000009
【手続補正書】
【提出日】平成16年4月13日(2004.4.13)
【手続補正１】
【補正対象書類名】特許請求の範囲
【補正対象項目名】請求項２
【補正方法】変更
【補正の内容】
【請求項２】
前記一方の身頃の長く形成された側縁部領域には、前記分割可能部よりおむつの内側領域に、さらに脚周り伸縮弾性部材が配置されていることを特徴とする請求項１記載のパンツ型使い捨ておむつ。